(57)【要約】  本発明の実施例はデータ伝送方法、ネットワーク機器及び端末装置を開示し、該方法は、伝送待ちのアップリンクデータを確定することと、前記アップリンクデータのサービス属性に基づいて前記アップリンクデータを送信するための基本パラメータセットを取得することと、前記基本パラメータセットに基づいてネットワーク機器に前記アップリンクデータを送信することと、を含む。本発明の実施例の方法、ネットワーク機器及び端末装置は、システムの伝送柔軟性を向上させることができる。
2020500446.tif 000002
【特許請求の範囲】
【請求項１】
データ伝送方法であって、
伝送待ちのアップリンクデータを確定することと、
前記アップリンクデータのサービス属性に基づいて前記アップリンクデータを送信するための基本パラメータセットを取得することと、
前記基本パラメータセットに基づいてネットワーク機器に前記アップリンクデータを送信することと、を含むことを特徴とする、前記データ伝送方法。
【請求項２】
前記アップリンクデータのサービス属性に基づいて前記アップリンクデータを送信するための基本パラメータセットを取得することは、
前記サービス属性及び設定されたサービス属性と基本パラメータセットとの対応関係に基づいて前記基本パラメータセットを確定することを含むことを特徴とする
請求項１に記載の方法。
【請求項３】
前記アップリンクデータのサービス属性に基づいて前記アップリンクデータを送信するための基本パラメータセットを取得することは、
前記サービス属性を識別するための識別情報を前記ネットワーク機器に送信することと、
前記ネットワーク機器から送信される、前記識別情報によって確定された前記基本パラメータセットを受信することと、を含むことを特徴とする
請求項１に記載の方法。
【請求項４】
前記サービス属性は前記アップリンクデータを送信するための論理チャネル、前記アップリンクデータを送信するためのベアラ、前記アップリンクデータを送信するためのデータストリーム、前記アップリンクデータのデータ量の大きさ及び前記アップリンクデータのサービス品質レベルのうちの少なくとも１つを含むことを特徴とする
請求項１〜３のいずれか１項に記載の方法。
【請求項５】
前記方法は、更に、
前記ネットワーク機器が前記基本パラメータセットを取得するために用いた前記基本パラメータセットの補助情報を前記ネットワーク機器に送信することを含むことを特徴とする
請求項２に記載の方法。
【請求項６】
前記方法は、更に、
前記基本パラメータセットの補助情報が記憶されている基本パラメータセットの補助情報と同じであることを確定した場合、前記ネットワーク機器が前記基本パラメータセットを取得するために用いた前記基本パラメータセットの補助情報を前記ネットワーク機器に送信しないことを含むことを特徴とする
請求項２に記載の方法。
【請求項７】
前記記憶されている基本パラメータセットの補助情報は前回のアップリンクデータの基本パラメータセットの補助情報、予め設定された基本パラメータセットの補助情報又はデフォルトの基本パラメータセットの補助情報を含むことを特徴とする
請求項６に記載の方法。
【請求項８】
前記補助情報は前記アップリンクデータ又は次回アップリンクデータを送信するための基本パラメータセットの識別子、前記論理チャネルの識別子、前記ベアラの識別子、前記データ量の大きさの識別子及び前記サービス品質レベルの識別子のうちの少なくとも１つを含むことを特徴とする
請求項５〜７のいずれか１項に記載の方法。
【請求項９】
ネットワーク機器に前記基本パラメータセットの補助情報を送信することは、
メディアアクセス制御ＭＡＣプロトコルデータユニットＰＤＵ又は上位層シグナリングを介して前記ネットワーク機器に前記補助情報を送信することを含み、
前記方法は、更に、
前記ネットワーク機器から送信される、前記アップリンクデータをスケジューリングするためのアップリンク許可を受信することを含むことを特徴とする
請求項５に記載の方法。
【請求項１０】
ネットワーク機器に前記基本パラメータセットの補助情報を送信することは、
アップリンク物理チャネルを介して前記ネットワーク機器に前記補助情報を送信することを含み、
前記基本パラメータセットに基づいてネットワーク機器に前記アップリンクデータを送信することは、
前記基本パラメータセットに基づいて前記アップリンク物理チャネルを介して前記ネットワーク機器に前記アップリンクデータを送信することを含むことを特徴とする
請求項５に記載の方法。
【請求項１１】
アップリンク物理チャネルを介して前記ネットワーク機器に前記補助情報を送信することは、
前記アップリンク物理チャネルのヘッダーを介して前記ネットワーク機器に前記補助情報を送信することを含むことを特徴とする
請求項１０に記載の方法。
【請求項１２】
前記方法は、更に、
前記ネットワーク機器から送信される前記設定されたサービス属性と基本パラメータセットとの対応関係を受信することを含むことを特徴とする
請求項２に記載の方法。
【請求項１３】
データ伝送方法であって、
端末装置から送信される、ネットワーク機器が前記基本パラメータセットを取得するために用いた基本パラメータセットの補助情報を受信したかどうかによって、伝送待ちのアップリンクデータの基本パラメータセットを確定することと、
前記基本パラメータセットに基づいて前記アップリンクデータを受信することと、を含むことを特徴とする、前記データ伝送方法。
【請求項１４】
端末装置から送信される基本パラメータセットの補助情報を受信したかどうかによって、伝送待ちのアップリンクデータの基本パラメータセットを確定することは、
前記端末装置から送信される前記補助情報を受信した場合、前記補助情報に基づいて前記基本パラメータセットを確定すること、又は
前記端末装置から送信される前記補助情報を受信していない場合、記憶されている基本パラメータセットを前記基本パラメータセットとして確定することを含むことを特徴とする
請求項１３に記載の方法。
【請求項１５】
前記記憶されている基本パラメータセットは前回のアップリンクデータの基本パラメータセット、予め設定された基本パラメータセット又はデフォルトの基本パラメータセットを含むことを特徴とする
請求項１４に記載の方法。
【請求項１６】
前記補助情報は前記アップリンクデータのサービス属性を識別するための識別情報を含み、前記補助情報に基づいて前記基本パラメータセットを確定することは、
前記識別情報及びサービス属性と基本パラメータセットとの対応関係に基づいて前記基本パラメータセットを確定することを含むことを特徴とする
請求項１４に記載の方法。
【請求項１７】
前記補助情報は前記アップリンクデータ又は次回アップリンクデータを送信するための基本パラメータセットの識別子、前記論理チャネルの識別子、前記ベアラの識別子、前記データ量の大きさの識別子及び前記サービス品質レベルの識別子のうちの少なくとも１つを含むことを特徴とする
請求項１３〜１５のいずれか１項に記載の方法。
【請求項１８】
前記基本パラメータセットに基づいて前記アップリンクデータを受信することは、
メディアアクセス制御ＭＡＣプロトコルデータユニットＰＤＵ又は上位層シグナリングから前記補助情報を取得するとき、前記基本パラメータセットに基づいて前記アップリンクデータをスケジューリングするためのアップリンク許可を確定することと、
前記端末装置が前記アップリンク許可に基づいて送信した前記アップリンクデータを受信することと、を含むことを特徴とする
請求項１４又は１６に記載の方法。
【請求項１９】
前記基本パラメータセットに基づいて前記アップリンクデータを受信することは、
アップリンク物理チャネルから前記補助情報を取得するとき、前記基本パラメータセットに基づいて前記アップリンク物理チャネルに含まれる前記アップリンクデータを受信して復調することを含むことを特徴とする
請求項１４又は１６に記載の方法。
【請求項２０】
前記方法は、更に、
サービス属性と基本パラメータセットとの対応関係を設定することと、
前記設定されたサービス属性と基本パラメータセットとの対応関係を前記端末装置に送信することと、を含むことを特徴とする
請求項１３〜１９のいずれか１項に記載の方法。
【請求項２１】
データ伝送端末装置であって、
伝送待ちのアップリンクデータを確定するための確定ユニットと、
前記アップリンクデータのサービス属性に基づいて前記アップリンクデータを送信するための基本パラメータセットを取得するための取得ユニットと、
前記基本パラメータセットに基づいてネットワーク機器に前記アップリンクデータを送信するための送信ユニットと、を含むことを特徴とする、前記データ伝送端末装置。
【請求項２２】
前記取得ユニットは、具体的に、
前記サービス属性及び予め設定されたサービス属性と基本パラメータセットとの対応関係に基づいて前記基本パラメータセットを確定することに用いられることを特徴とする
請求項２１に記載の端末装置。
【請求項２３】
前記取得ユニットは、具体的に、
前記サービス属性を識別するための識別情報を前記ネットワーク機器に送信し、
前記ネットワーク機器から送信される、前記識別情報によって確定された前記基本パラメータセットを受信することに用いられることを特徴とする
請求項２１に記載の端末装置。
【請求項２４】
前記サービス属性は前記アップリンクデータを送信するための論理チャネル、前記アップリンクデータを送信するためのベアラ、前記アップリンクデータを送信するためのデータストリーム、前記アップリンクデータのデータ量の大きさ及び前記アップリンクデータのサービス品質レベルのうちの少なくとも１つを含むことを特徴とする
請求項２１〜２３のいずれか１項に記載の端末装置。
【請求項２５】
前記送信ユニットは、具体的に、
前記ネットワーク機器が前記基本パラメータセットを取得するために用いた前記基本パラメータセットの補助情報を前記ネットワーク機器に送信することに用いられることを特徴とする
請求項２２に記載の端末装置。
【請求項２６】
前記確定ユニットは、更に、
前記基本パラメータセットの補助情報が記憶されている基本パラメータセットの補助情報と同じであることを確定した場合、前記ネットワーク機器が前記基本パラメータセットを取得するために用いた前記基本パラメータセットの補助情報を前記ネットワーク機器に送信しないことに用いられることを特徴とする
請求項２２に記載の端末装置。
【請求項２７】
前記記憶されている基本パラメータセットの補助情報は前回のアップリンクデータの基本パラメータセットの補助情報、予め設定された基本パラメータセットの補助情報又はデフォルトの基本パラメータセットの補助情報を含むことを特徴とする
請求項２６に記載の端末装置。
【請求項２８】
前記補助情報は前記アップリンクデータ又は次回アップリンクデータを送信するための基本パラメータセットの識別子、前記論理チャネルの識別子、前記ベアラの識別子、前記データ量の大きさの識別子及び前記サービス品質レベルの識別子のうちの少なくとも１つを含むことを特徴とする
請求項２５〜２７のいずれか１項に記載の端末装置。
【請求項２９】
前記送信ユニットは、具体的に、
メディアアクセス制御ＭＡＣプロトコルデータユニットＰＤＵ又は上位層シグナリングを介して前記ネットワーク機器に前記補助情報を送信することに用いられ、
前記端末装置は、更に、
前記ネットワーク機器から送信される、前記アップリンクデータをスケジューリングするためのアップリンク許可を受信することを含むことを特徴とする
請求項２５に記載の端末装置。
【請求項３０】
前記送信ユニットは、具体的に、
アップリンク物理チャネルを介して前記ネットワーク機器に前記補助情報を送信し、
前記基本パラメータセットに基づいて前記アップリンク物理チャネルを介して前記ネットワーク機器に前記アップリンクデータを送信することに用いられることを特徴とする
請求項２５に記載の端末装置。
【請求項３１】
前記送信ユニットがアップリンク物理チャネルを介して前記ネットワーク機器に前記補助情報を送信することは、
前記アップリンク物理チャネルのヘッダーを介して前記ネットワーク機器に前記補助情報を送信することを含むことを特徴とする
請求項３０に記載の端末装置。
【請求項３２】
前記端末装置は、更に、
前記ネットワーク機器から送信される前記設定されたサービス属性と基本パラメータセットとの対応関係を受信するための受信ユニットを含むことを特徴とする
請求項２２に記載の端末装置。
【請求項３３】
データ伝送ネットワーク機器であって、
端末装置から送信される、前記ネットワーク機器が前記基本パラメータセットを取得するために用いた基本パラメータセットの補助情報を受信したかどうかによって、伝送待ちのアップリンクデータを受信するための基本パラメータセットを確定するための確定ユニットと、
前記基本パラメータセットに基づいて前記アップリンクデータを受信するための受信ユニットと、を含むことを特徴とする、前記データ伝送ネットワーク機器。
【請求項３４】
前記確定ユニットは、具体的に、
前記端末装置から送信される前記補助情報を受信した場合、前記補助情報に基づいて前記基本パラメータセットを確定し、又は
前記端末装置から送信される前記補助情報を受信していない場合、記憶されている基本パラメータセットを前記基本パラメータセットとして確定することに用いられることを特徴とする
請求項３３に記載のネットワーク機器。
【請求項３５】
前記記憶されている基本パラメータセットは前回のアップリンクデータの基本パラメータセット、予め設定された基本パラメータセット又はデフォルトの基本パラメータセットを含むことを特徴とする
請求項３４に記載のネットワーク機器。
【請求項３６】
前記確定ユニットが前記端末装置から送信される前記補助情報を受信した場合、前記補助情報に基づいて前記基本パラメータセットを確定することは、
前記識別情報及びサービス属性と基本パラメータセットとの対応関係に基づいて前記基本パラメータセットを確定することを含むことを特徴とする
請求項３４に記載のネットワーク機器。
【請求項３７】
前記補助情報は前記アップリンクデータ又は次回アップリンクデータを送信するための基本パラメータセットの識別子、前記論理チャネルの識別子、前記ベアラの識別子、前記データ量の大きさの識別子及び前記サービス品質レベルの識別子のうちの少なくとも１つを含むことを特徴とする
請求項３３〜３５のいずれか１項に記載のネットワーク機器。
【請求項３８】
前記受信ユニットは、具体的に、
メディアアクセス制御ＭＡＣプロトコルデータユニットＰＤＵ又は上位層シグナリングから前記補助情報を取得するとき、前記基本パラメータセットに基づいて前記アップリンクデータをスケジューリングするためのアップリンク許可を確定し、
前記端末装置が前記アップリンク許可に基づいて送信した前記アップリンクデータを受信することに用いられることを特徴とする
請求項３４又は３６に記載のネットワーク機器。
【請求項３９】
前記受信ユニットは、具体的に、
アップリンク物理チャネルから前記補助情報を取得するとき、前記基本パラメータセットに基づいて前記アップリンク物理チャネルに含まれる前記アップリンクデータを受信して復調することに用いられることを特徴とする
請求項３４又は３６に記載のネットワーク機器。
【請求項４０】
前記ネットワーク機器は、更に、
サービス属性と基本パラメータセットとの対応関係を設定するための設定ユニットと、
前記設定されたサービス属性と基本パラメータセットとの対応関係を前記端末装置に送信するための送信ユニットと、を含むことを特徴とする
請求項３３〜３９のいずれか１項に記載のネットワーク機器。
【発明の詳細な説明】
【技術分野】
【０００１】
本発明は通信分野に関し、特にデータ伝送方法、端末装置及びネットワーク機器に関する。
【背景技術】
【０００２】
第５世代（５Ｇ）通信システムにおいて、サービスニーズの多様性により、物理層に様々な基本パラメータセット伝送技術を導入しており、各基本パラメータセットは異なるフレーム構造、ＴＴＩ持続時間、サブキャリア間隔等を含んでもよい。５Ｇシステムでデータを伝送する必要があるとき、システムの伝送柔軟性を向上させるために、確定された基本パラメータセットに基づくデータ伝送方法を必要とする。
【発明の概要】
【発明が解決しようとする課題】
【０００３】
以上に鑑みて、本発明の実施例はシステムの伝送柔軟性を向上させることができるデータ伝送方法及び装置を提供する。
【課題を解決するための手段】
【０００４】
第１態様に係るデータ伝送方法であって、伝送待ちのアップリンクデータを確定することと、該アップリンクデータのサービス属性に基づいて該アップリンクデータを送信するための基本パラメータセットを取得することと、該基本パラメータセットに基づいてネットワーク機器に該アップリンクデータを送信することと、を含む。
【０００５】
該アップリンクデータのサービス属性に基づいて該アップリンクデータを送信するための基本パラメータセットを取得し、端末装置に複数の基本パラメータセットを設定した場合、システムの伝送柔軟性を向上させることができる。
【０００６】
可能な実現方式では、該アップリンクデータのサービス属性に基づいて該アップリンクデータを送信するための基本パラメータセットを取得することは、該サービス属性及び予め設定されたサービス属性と基本パラメータセットとの対応関係に基づいて該基本パラメータセットを確定することを含む。
【０００７】
該サービス属性は該アップリンクデータを送信するための論理チャネル、該アップリンクデータを送信するためのベアラ、該アップリンクデータを送信するためのデータストリーム、該アップリンクデータのデータ量の大きさ及び該アップリンクデータのサービス品質レベルのうちの少なくとも１つを含む。
【０００８】
該対応関係は論理チャネルと基本パラメータセットとの対応関係であってもよく、ベアラと基本パラメータセットとの対応関係であってもよく、データストリームと基本パラメータセットとの対応関係であってもよく、データ量の大きさと基本パラメータセットとの対応関係であってもよく、更にサービス品質レベルと基本パラメータセットとの対応関係であってもよい。
【０００９】
可能な実現方式では、該アップリンクデータのサービス属性に基づいて該アップリンクデータを送信するための基本パラメータセットを取得することは、該サービス属性を識別するための識別情報をネットワーク機器に送信することと、該ネットワーク機器から送信される、該識別情報によって確定された該基本パラメータセットを受信することと、を含む。
【００１０】
該識別情報は論理チャネルの識別子であってもよく、ベアラの識別子であってもよく、データストリームの識別子であってもよく、データ量の識別子であってもよく、更にサービス品質レベルの識別子であってもよい。
【００１１】
好ましくは、ネットワーク機器は上位層シグナリング又は物理層シグナリングを介して上記対応関係を端末装置に送信することができるが、端末装置は上記対応関係を受信することができる。
【００１２】
可能な実現方式では、該方法は、更に、該ネットワーク機器が該基本パラメータセットを取得するために用いた該基本パラメータセットの補助情報を該ネットワーク機器に送信することを含む。
【００１３】
好ましくは、可能な実現方式では、該方法は、更に、該基本パラメータセットの補助情報が記憶されている基本パラメータセットの補助情報と同じであることを確定した場合、該ネットワーク機器が該基本パラメータセットを取得するために用いた該基本パラメータセットの補助情報を該ネットワーク機器に送信しないことを含む。
【００１４】
好ましくは、該補助情報は該アップリンクデータ又は次回伝送待ちのアップリンクデータを送信するための基本パラメータセットの識別子、該論理チャネルの識別子、該ベアラの識別子、該データ量の大きさの識別子及び該サービス品質レベルの識別子のうちの少なくとも１つを含む。
【００１５】
好ましくは、該記憶されている基本パラメータセットの補助情報は前回のアップリンクデータの基本パラメータセットの補助情報、予め設定された基本パラメータセットの補助情報又はデフォルトの基本パラメータセットの補助情報を含む。
【００１６】
可能な実現方式では、ネットワーク機器に該基本パラメータセットの補助情報を送信することは、メディアアクセス制御ＭＡＣプロトコルデータユニットＰＤＵ又は上位層シグナリングを介して該ネットワーク機器に該補助情報を送信することを含み、該方法は、更に、該ネットワーク機器から送信される、該アップリンクデータをスケジューリングするためのアップリンク許可を受信することを含む。
【００１７】
好ましくは、ネットワーク機器はデータ量の大きさを含めるＭＡＣ  ＰＤＵを介してネットワーク機器に該補助情報を送信することができる。
【００１８】
可能な実現方式では、ネットワーク機器に該基本パラメータセットの補助情報を送信することは、アップリンク物理チャネルを介して該ネットワーク機器に該補助情報を送信することを含み、該基本パラメータセットに基づいてネットワーク機器に該アップリンクデータを送信することは、該基本パラメータセットに基づいて該アップリンク物理チャネルを介して該ネットワーク機器に該アップリンクデータを送信することを含む。
【００１９】
好ましくは、前記アップリンク物理チャネルのヘッダーを介して前記ネットワーク機器に前記補助情報を送信することができる。
【００２０】
第２態様に係るデータ伝送方法であって、端末装置から送信される、前記ネットワーク機器が前記基本パラメータセットを取得するために用いた基本パラメータセットの補助情報を受信したかどうかによって、伝送待ちのアップリンクデータを受信するための基本パラメータセットを確定することと、前記基本パラメータセットに基づいて前記アップリンクデータを受信することと、を含む。
【００２１】
システムの伝送柔軟性を向上させることができる、アップリンクデータを受信するための基本パラメータセットをどのように選択するかを提供する。
【００２２】
可能な実現方式では、端末装置から送信される基本パラメータセットの補助情報を受信したかどうかによって、伝送待ちのアップリンクデータを受信するための基本パラメータセットを確定することは、該端末装置から送信される該補助情報を受信した場合、該補助情報に基づいて該基本パラメータセットを確定し、又は該端末装置から送信される該補助情報を受信していない場合、記憶されている基本パラメータセットを該基本パラメータセットとして確定することを含む。
【００２３】
好ましくは、該記憶されている基本パラメータセットは前回のアップリンクデータの基本パラメータセット、予め設定された基本パラメータセット又はデフォルトの基本パラメータセットを含む。
【００２４】
可能な実現方式では、前記補助情報は前記アップリンクデータのサービス属性を識別するための識別情報を含み、前記補助情報に基づいて前記基本パラメータセットを確定することは、前記識別情報及びサービス属性と基本パラメータセットとの対応関係に基づいて前記基本パラメータセットを確定することを含む。
【００２５】
好ましくは、該補助情報は該アップリンクデータ又は次回伝送待ちのアップリンクデータを送信するための基本パラメータセットの識別子、該論理チャネルの識別子、該ベアラの識別子、該データ量の大きさの識別子及び該サービス品質レベルの識別子のうちの少なくとも１つを含む。
【００２６】
可能な実現方式では、該基本パラメータセットに基づいて該アップリンクデータを受信することは、ＭＡＣ  ＰＤＵ又は上位層シグナリングから該補助情報を取得するとき、該基本パラメータセットに基づいて該アップリンクデータをスケジューリングするためのアップリンク許可を確定することと、該端末装置が該アップリンク許可に基づいて送信した該アップリンクデータを受信することと、を含む。
【００２７】
可能な実現方式では、該基本パラメータセットに基づいて該アップリンクデータを受信することは、アップリンク物理チャネルから該補助情報を取得するとき、該基本パラメータセットに基づいて該アップリンク物理チャネルに含まれる該アップリンクデータを受信して復調することを含む。
【００２８】
好ましくは、ネットワーク機器は更に上位層シグナリング又は物理層シグナリングを介して上記対応関係を端末装置に送信することができる。
【００２９】
第３態様に係る端末装置であって、上記第１態様又は第１態様の任意の可能な実現方式の方法を実行することに用いられる。具体的に、該端末装置は上記第１態様又は第１態様の任意の可能な実現方式の方法を実行するためのユニットを含む。
【００３０】
第４態様に係るネットワーク機器であって、上記第２態様又は第２態様の任意の可能な実現方式の方法を実行することに用いられる。具体的に、該ネットワーク機器は上記第２態様又は第２態様の任意の可能な実現方式の方法を実行するためのユニットを含む。
【００３１】
第５態様に係る端末装置であって、メモリ、プロセッサ、送受信機、通信インターフェース及びバスシステムを備える。メモリ、プロセッサ及び送受信機がバスシステムによって接続され、該メモリは命令を記憶することに用いられ、該プロセッサは該メモリに記憶される命令を実行することに用いられ、該命令が実行されるとき、該プロセッサは第１態様の方法を実行して、送受信機が入力されたデータ及び情報を受信し、操作結果等のデータを出力するように制御する。
【００３２】
第６態様に係るネットワーク機器であって、メモリ、プロセッサ、送受信機、通信インターフェース及びバスシステムを備える。メモリ、プロセッサ及び送受信機がバスシステムによって接続され、該メモリは命令を記憶することに用いられ、該プロセッサは該メモリに記憶される命令を実行することに用いられ、該命令が実行されるとき、該プロセッサは第２態様の方法を実行して、送受信機が入力されたデータ及び情報を受信し、操作結果等のデータを出力するように制御する。
【００３３】
第７態様に係るコンピュータ記憶媒体であって、上記方法に使用される、上記態様を実行するために設計したプログラムを含むコンピュータソフトウェア命令を記憶することに用いられる。
【００３４】
本発明において、端末装置及びネットワーク機器の名称は装置自体を制限せず、実際に実現するとき、これらの装置は他の名称で出現してもよい。各装置の機能は本発明と同様であれば、本発明の特許請求の範囲及びその均等技術の範囲に属する。
【００３５】
本願のこれらの態様又は他の態様は以下の実施例の説明によって明らかになる。
【図面の簡単な説明】
【００３６】
【図１】本発明の実施例の可能な応用シーンを示す模式図である。
【図２】本発明の実施例のデータ伝送方法を示す模式的なブロック図である。
【図３】本発明の実施例のデータ伝送方法を示す他の模式的なブロック図である。
【図４】本発明の実施例のデータ伝送方法を示すフローチャートである。
【図５】本発明の実施例のデータ伝送方法を示す他のフローチャートである。
【図６】本発明の実施例のデータ伝送方法を示す別のフローチャートである。
【図７】本発明の実施例のデータ伝送方法を示す別のフローチャートである。
【図８】本発明の実施例のデータ伝送端末装置を示す模式的なブロック図である。
【図９】本発明の実施例のデータ伝送ネットワーク機器を示す模式的なブロック図である。
【図１０】本発明の実施例のデータ伝送端末装置を示す他の模式的なブロック図である。
【図１１】本発明の実施例のデータ伝送ネットワーク機器を示す別の模式的なブロック図である。
【発明を実施するための形態】
【００３７】
以下、本発明の実施例の図面を参照しながら、本発明の実施例の技術案を明確且つ完全に説明し、無論、説明される実施例は本発明の実施例の一部であり、実施例のすべてではない。本発明の実施例に基づき、当業者が進歩性のある労働を必要とせずに得られる他の実施例は、いずれも本発明の保護範囲に属する。
【００３８】
本発明の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよいと理解すべきである。
【００３９】
特に、本発明の実施例の技術案は非直交多元アクセス技術に基づく様々な通信システム、例えば疎コード多重アクセス（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等に適用されてもよく、無論、通信分野ではＳＣＭＡシステム及びＬＤＳシステムが他の名称と称されてもよく、更に、本発明の実施例の技術案は非直交多元アクセス技術を用いたマルチキャリアシステム、例えば非直交多元アクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システム等に適用されてもよい。
【００４０】
本発明の実施例における端末装置はユーザー装置（ＵＥ：Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来の５Ｇネットワークにおける端末装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）における端末装置等であってもよく、本発明の実施例は制限しない。
【００４１】
本発明の実施例におけるネットワーク機器は端末装置と通信するための装置であってもよく、該ネットワーク機器はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  ＮｏｄｅＢ）であってもよく、更にクラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線制御装置であってもよく、又は該ネットワーク機器は中継所、アクセスポイント、車載装置、ウェアラブルデバイス及び将来の５Ｇネットワークにおけるネットワーク機器又は将来発展するＰＬＭＮネットワークにおけるネットワーク機器等であってもよく、本発明の実施例は制限しない。
【００４２】
図１は本発明の１つの応用シーンの模式図である。図１における通信システムは端末装置１０及びネットワーク機器２０を備えてもよい。ネットワーク機器２０は端末装置１０に通信サービスを提供してコアネットワークにアクセスすることに用いられ、端末装置１０はネットワーク機器２０から送信される同期信号、放送信号等を検索することによりネットワークにアクセスし、それによりネットワークと通信する。図１に示す矢印は端末装置１０とネットワーク機器２０との間のセルラーリンクによるアップ／ダウンリンク伝送を示してもよい。
【００４３】
図２は本発明の実施例のデータ伝送方法１００を示す模式的なブロック図である。図２に示すように、該方法が端末装置、例えばユーザー装置で実行されてもよく、該方法１００は、
伝送待ちのアップリンクデータを確定するＳ１１０と、
該アップリンクデータのサービス属性に基づいて該アップリンクデータを送信するための基本パラメータセットを取得するＳ１２０と、
該基本パラメータセットに基づいてネットワーク機器に該アップリンクデータを送信するＳ１３０と、を含む。
【００４４】
まず、説明すべきなのは、
本発明の実施例の方法はアップリンクデータのサービス属性に基づいて基本パラメータセットを確定することができる通信システムに適用されてもよく、説明都合上、本発明の実施例は５Ｇシステムのみを説明し、また、本明細書において、用語「システム」及び「ネットワーク」が常に交換可能に使用され、本明細書における用語「及び／又は」は、関連オブジェクトを説明する関連関係に過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよく、また、本明細書における文字「／」は一般的に前後関連オブジェクトが「又は」関係であることを示し、
本発明の実施例のアップリンクデータのサービス属性は該アップリンクデータを送信するための論理チャネルであってもよく、該アップリンクデータを送信するためのベアラであってもよく、該アップリンクデータを送信するためのデータストリームであってもよく、該アップリンクデータのデータ量の大きさであってもよく、更に該アップリンクデータのサービス品質レベル等であってもよく、本発明の実施例は上記のものを例として説明したが、それらに限らず、
本発明の実施例の基本パラメータセットはサブキャリア間隔、システム帯域幅に対応するサブキャリア数、物理リソースブロック（ＰＲＢ：ｐｈｙｓｉｃａｌ  ｒｅｓｏｕｒｃｅ  ｂｌｏｃｋ）に対応するサブキャリア数、直交周波数分割多重ＯＦＤＭのシンボル長、ＯＦＤＭ信号を生成するために用いた高速フーリエ変換（ＦＦＴ：Ｆａｓｔ  Ｆｏｕｒｉｅｒ  Ｔｒａｎｓｆｏｒｍａｔｉｏｎ）又は逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）の点数、送信時間間隔（ＴＴＩ：Ｔｒａｎｓｍｉｓｓｉｏｎ  Ｔｉｍｅ  Ｉｎｔｅｒｖａｌ）に含まれる該ＯＦＤＭシンボル数、第１時間帯内に含まれる該ＴＴＩの個数及び信号プレフィックスの長さのうちの少なくとも１つを含んでもよく、サブキャリア間隔は隣接するサブキャリアの周波数間隔、例えば１５ｋＨｚ、６０ｋＨｚ等を指し、特定帯域幅におけるサブキャリア数は例えばそれぞれの可能なシステム帯域幅に対応するサブキャリア数であり、ＰＲＢに含まれるサブキャリア数は例えば一般的に１２の整数倍であってもよく、ＴＴＩに含まれるＯＦＤＭシンボル数は例えば一般的に１４の整数倍であってもよく、一定時間単位に含まれるＴＴＩ数は１ｍｓ又は１０ｍｓの時間長に含まれるＴＴＩ数を指してもよく、信号プレフィックスの長さは例えば信号のサイクリックプレフィックスの時間長であり、又はサイクリックプレフィックスが通常のＣＰ又は拡張ＣＰを使用する。
【００４５】
具体的に、５Ｇ等の将来の通信システムにおいて、サービスに要求される多様性は物理層に様々な基本パラメータセット伝送技術を導入するため、システムにはアップリンクデータを伝送する必要があるとき、システムの伝送柔軟性を向上させるために、異なる応用層サービスに基づいて異なる基本パラメータセットを選択してデータを伝送する必要がある。つまり、アップリンクデータのサービス属性に基づいて該アップリンクデータを送信するための基本パラメータセット、例えば該アップリンクデータを伝送するために用いた論理チャネル等を確定することができる。
【００４６】
好ましくは、本発明の実施例において、まず論理チャネルの優先度に基づいて該サービス属性を確定してもよく、該サービス属性は該アップリンクデータを送信するための論理チャネル、該アップリンクデータを送信するためのベアラ、該アップリンクデータを送信するためのデータストリーム、該アップリンクデータのデータ量の大きさ、ひいては該アップリンクデータのサービス品質レベル等を含む。
【００４７】
当業者であれば、論理チャネルが伝送内容を定義したが、媒体アクセス制御（ＭＡＣ：Ｍｅｄｉａ  Ａｃｃｅｓｓ  Ｃｏｎｔｒｏｌ）層が論理チャネルを利用して上位層と通信すると理解される。同じ端末装置の異なる論理チャネルの優先度が異なる。端末は伝送待ちのアップリンクデータを確定した後、論理チャネルの優先度に基づいて該アップリンクデータを送信するための論理チャネル、該アップリンクデータを送信するためのベアラ及び該アップリンクデータを送信するためのデータストリーム、該アップリンクデータのデータ量の大きさ及び該アップリンクデータのサービス品質レベルを確定することができる。ベアラ、データストリーム、データ量の大きさ、サービス品質レベル及び論理チャネル同士が一定のマッピング関係を有し、本発明は制限しない。
【００４８】
好ましくは、本発明の実施例において、ネットワーク機器は更に論理チャネル、ベアラ、データストリーム、データ量の大きさ及びサービス品質レベル等のサービス属性と基本パラメータセットとのマッピング関係を予め設定して、無線リソース制御（ＲＲＣ：Ｒａｄｉｏ  Ｒｅｓｏｕｒｃｅ  Ｃｏｎｔｒｏｌ）シグナリング又はＭＡＣシグナリングを介して該設定情報を端末装置に通知することができ、従って端末装置はネットワーク機器の通知した設定情報及び確定されたアップリンクデータを送信するために対応するサービス属性に基づいて、該アップリンクデータを送信するための基本パラメータセットを確定することができる。上記設定情報は論理チャネルと基本パラメータセットとのマッピング関係であってもよく、基本パラメータセットの間にベアリングするマッピング関係であってもよく、データストリームと基本パラメータセットとのマッピング関係であってもよく、データ量の大きさと基本パラメータセットとのマッピング関係であってもよく、サービス品質レベルと基本パラメータセットとのマッピング関係であってもよく、更にＨＡＲＱ設定と基本パラメータセットとのマッピング関係であってもよいといったことを理解すべきである。また、更に様々なサービス属性の識別子と基本パラメータセットとのマッピング関係でサービス属性と基本パラメータセットとのマッピング関係を間接的に示してもよい。
【００４９】
好ましくは、本発明の実施例において、該アップリンクデータのサービス属性に基づいて該アップリンクデータを送信するための基本パラメータセットを取得することは、該サービス属性を識別するための識別情報をネットワーク機器に送信することと、該ネットワーク機器から送信される、該識別情報によって確定された該基本パラメータセットを受信することと、を含む。
【００５０】
具体的に、ネットワーク機器が設定されたマッピング関係を端末装置に送信しないため、端末装置はサービス属性に基づいて基本パラメータセットを確定することができない。端末装置はサービス属性の識別子をネットワーク機器に送信することができるが、ネットワーク機器はサービス属性の識別子及び予め設定されたマッピング関係に基づいてアップリンクデータを伝送するために用いた基本パラメータセットを確定することができる。ネットワーク機器が基本パラメータセットを確定する方式は端末装置と同様であってもよく、簡潔のため、詳細な説明は省略する。
【００５１】
端末装置が基本パラメータセットを確定した場合、更に、端末装置はネットワーク機器に該アップリンクデータをスケジューリングするためのアップリンク許可を申請する必要があるとき、端末装置はネットワーク機器が基本パラメータセットを取得するために用いた該基本パラメータセットの補助情報をネットワーク機器に送信する必要がある。具体的に、該補助情報は直接該アップリンクデータ又は次回伝送待ちのアップリンクデータを送信するための基本パラメータセットの識別子であってもよく、間接的に該論理チャネルの識別子、該ベアラの識別子、該データ量の大きさの識別子及び該サービス品質レベルの識別子であってもよい。
【００５２】
好ましくは、本発明の実施例において、端末装置は更に確定された基本パラメータセットの補助情報が記憶されている基本パラメータセットの補助情報と同じであるかどうかを先に判断することができ、同じである場合、端末装置はネットワーク機器に補助情報を送信しなくてもよく、更にネットワーク機器は記憶されている基本パラメータセットを用いてアップリンクデータを受信してもよい。異なる場合、端末装置はネットワーク機器に補助情報を送信することができ、更にネットワーク機器は補助情報に基づいてアップリンクデータを受信する基本パラメータセットを確定することができる。一般的に、該記憶されている基本パラメータセットの補助情報は前回のアップリンクデータの基本パラメータセットの補助情報であってもよいし、予め設定された基本パラメータセットの補助情報又はデフォルトの基本パラメータセットの補助情報であってもよく、デフォルトの基本パラメータセットは出荷時に設定された基本パラメータセットを指す。例えば、端末装置は今回のデータの論理チャネルが前回のデータの論理チャネルと同じであることを確定した場合、端末装置は今回のデータの基本パラメータセットが前回のデータの基本パラメータセットと同じであると見なされてもよい。
【００５３】
一実施例として、ネットワーク機器に該基本パラメータセットの補助情報を送信することは、メディアアクセス制御ＭＡＣプロトコルデータユニットＰＤＵ又は上位層シグナリングを介して該ネットワーク機器に該補助情報を送信することを含み、該方法は、更に、該ネットワーク機器から送信される、該アップリンクデータをスケジューリングするためのアップリンク許可を受信することを含む。
【００５４】
具体的に、端末装置はデータ量の大きさを含めるＭＡＣ  ＰＤＵを介してネットワーク機器に該補助情報を送信することができ、端末装置は更にＲＲＣシグナリングに該補助情報を含んでもよい。
【００５５】
他の実施例として、ネットワーク機器に該基本パラメータセットの補助情報を送信することは、アップリンク物理チャネルを介して該ネットワーク機器に該補助情報を送信することを含み、該基本パラメータセットに基づいてネットワーク機器に該アップリンクデータを送信することは、該基本パラメータセットに基づいて該アップリンク物理チャネルを介して該ネットワーク機器に該アップリンクデータを送信することを含む。
【００５６】
具体的に、端末装置はアップリンク物理チャネルのヘッダーに今回データの基本パラメータセットを含んでもよく、含まれるのは次回データを伝送するために用いた基本パラメータセットである場合、該基本パラメータセットはアップリンク物理チャネルの他の部位を介して伝送されてもよい。本発明の実施例は上記のものを例として説明したが、それらに限らない。
【００５７】
端末装置は更に他のＭＡＣ  ＰＤＵを介してネットワーク機器に該補助情報を送信することができ、端末装置は更に上位層シグナリングを介してネットワーク機器に該補助情報、例えば、ＲＲＣメッセージを送信することができると理解すべきである。本発明の実施例はネットワーク機器に該補助情報を送信する具体的な方式を制限しない。
【００５８】
図３は本発明の実施例のデータ伝送方法２００を示す模式的なブロック図である。図３に示すように、該方法２００がネットワーク機器、例えば基地局で実行されてもよく、該方法２００は、
端末装置から送信される、該ネットワーク機器が該基本パラメータセットを取得するために用いた基本パラメータセットの補助情報を受信したかどうかによって、伝送待ちのアップリンクデータを受信するための基本パラメータセットを確定するＳ２１０と、
該基本パラメータセットに基づいて該アップリンクデータを受信するＳ２２０と、を含む。
【００５９】
具体的に、ネットワーク機器は端末装置から送信される補助情報に基づいて伝送待ちのアップリンクデータを受信するための基本パラメータセットを確定することができ、例えば、該補助情報は該アップリンクデータを送信するための論理チャネルの識別子であってもよく、ネットワーク機器は該論理チャネルの識別子に基づいて該アップリンクデータを送信するための基本パラメータセットを確定することができる。該補助情報は該アップリンクデータを送信するためのベアラの識別子であってもよく、ネットワーク機器は該ベアラの識別子に基づいて該アップリンクデータを送信するための基本パラメータセットを確定することができる。該補助情報は該アップリンクデータを送信するためのデータストリームの識別子であってもよく、ネットワーク機器は該データストリームの識別子に基づいて該アップリンクデータを送信するための基本パラメータセットを確定することができ、該補助情報は該アップリンクデータのデータ量の大きさの識別子であってもよく、ネットワーク機器は該データ量の大きさに基づいて該基本パラメータセットを確定することができ、該第２識別情報は更に端末装置が既に確定した該アップリンクデータを送信するための基本パラメータセットの識別子であってもよく、ネットワーク機器は該基本パラメータセットの識別子に基づいて該基本パラメータセットを確定することができる。ネットワーク機器は更に上記様々な識別子の組み合わせに基づいて基本パラメータセットを確定することができ、本発明の実施例は制限せず、該基本パラメータセットを確定できる情報であればよいと理解すべきである。
【００６０】
好ましくは、本発明の実施例において、ネットワーク機器は更に論理チャネル、ベアラ、データストリーム、データ量の大きさ及びサービス品質レベル等のサービス属性と基本パラメータセットとのマッピング関係を予め設定することができ、ネットワーク機器は補助情報を受信した後、ネットワーク機器のマッピング関係及び確定されたアップリンクデータを送信するために対応するサービス属性又はサービス属性を識別するための識別子情報に基づいて、該アップリンクデータを送信するための基本パラメータセットを確定することができる。上記設定情報は論理チャネルと基本パラメータセットとのマッピング関係であってもよく、基本パラメータセットの間にベアリングするマッピング関係であってもよく、データストリームと基本パラメータセットとのマッピング関係であってもよく、データ量の大きさと基本パラメータセットとのマッピング関係であってもよく、サービス品質レベルと基本パラメータセットとのマッピング関係であってもよく、更にＨＡＲＱ設定と基本パラメータセットとのマッピング関係であってもよいといったことを理解すべきである。また、更に様々なサービス属性の識別子と基本パラメータセットとのマッピング関係でサービス属性と基本パラメータセットとのマッピング関係を間接的に示してもよい。ネットワーク機器は更に受信された基本パラメータセットの識別子に基づいて該基本パラメータセットを直接確定することができる。
【００６１】
ネットワーク機器が一定時間内に上記補助情報を受信していない場合、ネットワーク機器は今回アップリンクデータを伝送するための基本パラメータセットが変化しないことを確定することができ、従ってネットワーク機器は記憶されている基本パラメータセットを用いて今回アップリンクデータを伝送することができる。
【００６２】
記憶されている基本パラメータセットは前回のデータの基本パラメータセットを指してもよく、予め設定された基本パラメータセットを指してもよく、更にデフォルトの基本パラメータセットを指してもよく、該デフォルトの基本パラメータセットは装置出荷時に設定された基本パラメータセットであってもよい。
【００６３】
また、端末装置から送信される補助情報は更に次回データを伝送するために用いた基本パラメータセットであってもよく、本発明の実施例は次回データを伝送するために用いた基本パラメータセットをどのように取得するかを制限せず、上記データが到達した後、アップリンクデータを２回に分けて伝送してもよく、ネットワーク機器がデータを１回目に伝送するために用いた基本パラメータセットを確定するように通知するとき、次回データに用いた基本パラメータセット、例えば、次回データを伝送するために用いた基本パラメータセットの識別子を同時に含ませてもよい。
【００６４】
本発明の一実施例として、該方法は更に該基本パラメータセットに基づいて該アップリンクデータを受信することを含み、該基本パラメータセットに基づいて該アップリンクデータを受信することは、ＭＡＣ  ＰＤＵ又は上位層シグナリングから該補助情報を取得するとき、該基本パラメータセットに基づいて該アップリンクデータをスケジューリングするためのアップリンク許可を確定することと、該端末装置が該アップリンク許可に基づいて送信した該アップリンクデータを受信することと、を含む。
【００６５】
本発明の他の実施例として、該方法は更に該基本パラメータセットに基づいて該アップリンクデータを受信することを含み、該基本パラメータセットに基づいて該アップリンクデータを受信することは、アップリンク物理チャネルから該補助情報を取得するとき、該基本パラメータセットに基づいて該アップリンク物理チャネルに含まれる該アップリンクデータを受信して復調することを含む。
【００６６】
具体的に、端末装置はデータ量の大きさを含むＭＡＣ  ＰＤＵに該補助情報を含ませてもよく、更にネットワーク機器は該補助情報及び該データ量の大きさを取得することができ、且つネットワーク機器は更に該データ量の大きさ及び確定された基本パラメータセットに基づいて該アップリンクデータをスケジューリングするためのアップリンク許可を確定して、該アップリンク許可を端末装置に送信することができ、それにより端末装置がネットワーク機器に該アップリンクデータを送信し、端末装置は更にアップリンク物理チャネルのヘッダーに該補助情報を含ませて、且つ該アップリンク物理チャネルの他の部分に該アップリンクデータを含ませてもよく、ネットワーク機器は該アップリンク物理チャネルのヘッダーから該補助情報を取得することができ、且つ、該補助情報に基づいて該アップリンクデータを送信するための基本パラメータセットを確定した後、ネットワーク機器は該基本パラメータセットに基づいて該アップリンク物理チャネルの他の部分を受信して復調することができる。
【００６７】
更に、本発明の実施例において、端末装置が基本パラメータセットを確定しない場合、ネットワーク機器は基本パラメータセットを確定した後、確定された基本パラメータセットを識別するための識別子を端末装置に送信することができ、該端末装置に複数の基本パラメータセットがある場合、端末装置は該識別子に基づいて該アップリンクデータを送信するための基本パラメータセットを確定することができる。該端末装置に１つの基本パラメータセットがある場合、該識別子は更に直接該アップリンクデータを送信するための基本パラメータセット情報、例えば、該基本パラメータセットに含まれるパラメータ等であってもよい。
【００６８】
以下、図４〜図７を参照しながら端末装置及びネットワーク機器の観点から本発明の実施例のデータ伝送方法を詳しく説明する。
【００６９】
実施例１
図４に示すように、該方法２０は、主に、
ネットワーク機器がＲＲＣシグナリング又はＭＡＣシグナリングを介して各ベアラと各基本パラメータセットとの対応関係、各論理チャネルと各基本パラメータセットとの対応関係又は各データストリームと各基本パラメータセットとの対応関係等を端末装置に送信するＳ２１と、
端末装置に送信すべきアップリンクデータがある場合、まず論理チャネルの優先度に基づいて該アップリンクデータを送信するための論理チャネル、該アップリンクデータを送信するためのベアラ又は該アップリンクデータを送信するためのデータストリーム、該アップリンクデータのデータ量の大きさ又は該アップリンクデータのサービス品質レベル等のサービス属性を確定するＳ２２と、
端末装置が確定された論理チャネル、ベアラ又はデータストリーム等のサービス属性及び上記Ｓ２１における受信された対応関係に基づいて該アップリンクデータを送信するための基本パラメータセットを確定するＳ２３と、
端末装置が更にアップリンク許可を申請する必要があるとき、ＢＳＲを含むＭＡＣ  ＰＤＵを介して該基本パラメータセットの補助情報を送信してもよく、該基本パラメータセットの補助情報は例えば直接該基本パラメータセットの識別子であってもよく、間接的に該基本パラメータセットに対応する論理チャネルの識別子、ベアラの識別子、データストリームの識別子、該アップリンクデータのデータ量の大きさの識別子又は該アップリンクデータのサービス品質レベルの識別子等であってもよいＳ２４と、
端末装置から送信されるのは基本パラメータセットの識別子である場合、ネットワーク機器は該基本パラメータセットを直接確定することができ、端末装置から送信されるのは論理チャネルの識別子である場合、ネットワーク機器は端末のために設定した論理チャネルと基本パラメータセットとの対応関係に基づいて該アップリンクデータを送信するための基本パラメータセットを確定することができ、端末装置から送信されるのはベアラの識別子である場合、ネットワーク機器は端末のために設定したベアラと基本パラメータセットとの対応関係に基づいて該アップリンクデータを送信するための基本パラメータセットを確定することができ、端末装置から送信されるのはデータストリームの識別子である場合、ネットワーク機器は端末のために設定したデータストリームと基本パラメータセットとの対応関係に基づいて該アップリンクデータを送信するための基本パラメータセットを確定することができ、端末装置から送信されるのはデータ量の大きさの識別子である場合、ネットワーク機器は端末のために設定したデータ量の大きさと基本パラメータセットとの対応関係に基づいて該アップリンクデータを送信するための基本パラメータセットを確定することができ、端末装置から送信されるのはサービス品質レベルの識別子である場合、ネットワーク機器は端末のために設定したサービス品質レベルと基本パラメータセットとの対応関係に基づいて該アップリンクデータを送信するための基本パラメータセットを確定することができるＳ２５と、
ネットワーク機器が端末装置の報告したＢＳＲ及び確定された基本パラメータセットに基づいて該アップリンクデータを送信するためのアップリンク許可を確定するＳ２６と、
ネットワーク機器が物理制御チャネルを介して該アップリンク許可を送信するＳ２７と、
端末装置がネットワーク機器から送信されるアップリンク許可に基づいてアップリンクデータを整理するＳ２８と、を含む。
【００７０】
実施例２
図５に示すように、該方法３０は、主に、
ネットワーク機器がＲＲＣシグナリング又はＭＡＣシグナリングを介して各ベアラと各基本パラメータセットとの対応関係、各論理チャネルと各基本パラメータセットとの対応関係又は各データストリームと各基本パラメータセットとの対応関係等を端末装置に送信するＳ３１と、
端末装置に送信すべきアップリンクデータがある場合、まず論理チャネルの優先度に基づいて該アップリンクデータを送信するための論理チャネル、該アップリンクデータを送信するためのベアラ又は該アップリンクデータを送信するためのデータストリーム、該アップリンクデータのデータ量の大きさ又は該アップリンクデータのサービス品質レベル等のサービス属性を確定するＳ３２と、
端末装置が確定された論理チャネル、ベアラ又はデータストリーム等のサービス属性及び上記Ｓ２１における受信された対応関係に基づいて該アップリンクデータを送信するための基本パラメータセットを確定するＳ３３と、
端末装置はアップリンク物理データチャネルを介して該基本パラメータセットの補助情報を送信することができ、該基本パラメータセットの補助情報は例えば直接該基本パラメータセットの識別子であってもよく、間接的に該基本パラメータセットに対応する論理チャネルの識別子、ベアラの識別子、データストリームの識別子、該アップリンクデータのデータ量の大きさの識別子又は該アップリンクデータのサービス品質レベルの識別子等であってもよいＳ３４と、
ネットワーク機器は該アップリンク物理データチャネルのヘッダーから補助情報を取得することができ、且つ該補助情報に基づいて該アップリンクデータを送信するための基本パラメータセットを確定することができ、具体的に、端末装置から送信されるのは基本パラメータセットの識別子である場合、ネットワーク機器は該基本パラメータセットを直接確定することができ、端末装置から送信されるのは論理チャネルの識別子である場合、ネットワーク機器は端末のために設定した論理チャネルと基本パラメータセットとの対応関係に基づいて該アップリンクデータを送信するための基本パラメータセットを確定することができ、端末装置から送信されるのはベアラの識別子である場合、ネットワーク機器は端末のために設定したベアラと基本パラメータセットとの対応関係に基づいて該アップリンクデータを送信するための基本パラメータセットを確定することができ、端末装置から送信されるのはデータストリームの識別子である場合、ネットワーク機器は端末のために設定したデータストリームと基本パラメータセットとの対応関係に基づいて該アップリンクデータを送信するための基本パラメータセットを確定することができ、端末装置から送信されるのはデータ量の大きさの識別子である場合、ネットワーク機器は端末のために設定したデータ量の大きさと基本パラメータセットとの対応関係に基づいて該アップリンクデータを送信するための基本パラメータセットを確定することができ、端末装置から送信されるのはサービス品質レベルの識別子である場合、ネットワーク機器は端末のために設定したサービス品質レベルと基本パラメータセットとの対応関係に基づいて該アップリンクデータを送信するための基本パラメータセットを確定することができるＳ３５と、
ネットワーク機器は更に確定された基本パラメータセットに基づいて該アップリンク物理データチャネルに含まれるアップリンクデータを更に受信して復調することができるＳ３６と、を含む。
【００７１】
実施例３
図６に示すように、該方法４０は、主に、
端末装置に送信すべきアップリンクデータがある場合、まず論理チャネルの優先度に基づいて該アップリンクデータを送信するための論理チャネル、該アップリンクデータを送信するためのベアラ又は該アップリンクデータを送信するためのデータストリーム、該アップリンクデータのデータ量の大きさ又は該アップリンクデータのサービス品質レベル等のサービス属性を確定するＳ４１と、
端末装置が更にアップリンク許可を申請する必要があるとき、ＢＳＲを含むＭＡＣ  ＰＤＵを介してそれに対応する論理チャネルの識別子、ベアラの識別子、データストリームの識別子、該アップリンクデータのデータ量の大きさの識別子又は該アップリンクデータのサービス品質レベルの識別子等を送信することができるＳ４２と、
端末装置から送信されるのは論理チャネルの識別子である場合、ネットワーク機器は端末のために設定した論理チャネルに基づいて該アップリンクデータを送信するための基本パラメータセットを確定することができ、端末装置から送信されるのはベアラの識別子である場合、ネットワーク機器は端末のために設定したベアラに基づいて該アップリンクデータを送信するための基本パラメータセットを確定することができ、端末装置から送信されるのはデータストリームの識別子である場合、ネットワーク機器は端末のために設定したデータストリームに基づいて該アップリンクデータを送信するための基本パラメータセットを確定することができ、端末装置から送信されるのはデータ量の大きさの識別子である場合、ネットワーク機器は更にデータ量の大きさに基づいて該アップリンクデータを送信するための基本パラメータセットを確定することができ、端末装置から送信されるのはサービス品質レベルの識別子である場合、ネットワーク機器は更にサービス品質レベルに基づいて該アップリンクデータを送信するための基本パラメータセットを確定することができるＳ４３と、
ネットワーク機器が端末装置の報告したＢＳＲ及び確定された基本パラメータセットに基づいて該アップリンクデータを送信するためのアップリンク許可を確定するＳ４４と、
ネットワーク機器が物理制御チャネルを介して該アップリンク許可及び該基本パラメータセットの関連情報、例えば該基本パラメータセットの識別子を送信するＳ４５と、
端末装置がネットワーク機器から送信されるアップリンク許可に基づいてアップリンクデータを整理するＳ４６と、を含む。
【００７２】
実施例４
図７に示すように、該方法５０は、主に、
ネットワーク機器がＲＲＣシグナリング又はＭＡＣシグナリングを介して各ベアラと各基本パラメータセットとの対応関係、各論理チャネルと各基本パラメータセットとの対応関係又は各データストリームと各基本パラメータセットとの対応関係等を端末装置に送信するＳ５１と、
端末装置に送信すべきアップリンクデータがある場合、まず論理チャネルの優先度に基づいて該アップリンクデータを送信するための論理チャネル、該アップリンクデータを送信するためのベアラ又は該アップリンクデータを送信するためのデータストリーム、該アップリンクデータのデータ量の大きさ又は該アップリンクデータのサービス品質レベル等のサービス属性を確定するＳ５２と、
端末装置が確定された論理チャネル、ベアラ又はデータストリーム等のサービス属性及び上記Ｓ２１における受信された対応関係に基づいて該アップリンクデータを送信するための基本パラメータセットを確定するＳ５３と、
端末装置は次回データを伝送するための基本パラメータセットの補助情報をネットワーク機器に送信することができ、該基本パラメータセットの補助情報は例えば直接次回ダウンリンクデータを伝送するために用いた基本パラメータセットの識別子であってもよく、間接的にそれに対応する論理チャネルの識別子、ベアラの識別子、データストリームの識別子、該アップリンクデータのデータ量の大きさの識別子又は該アップリンクデータのサービス品質レベルの識別子等であってもよいＳ５４と、
端末装置から送信されるのは次回データを伝送するための基本パラメータセットの識別子である場合、ネットワーク機器は次回データを伝送するための基本パラメータセットを直接確定することができ、端末装置から送信されるのは論理チャネルの識別子である場合、ネットワーク機器は端末のために設定した論理チャネルと基本パラメータセットとの対応関係に基づいて次回データを伝送するための基本パラメータセットを確定することができ、端末装置から送信されるのはベアラの識別子である場合、ネットワーク機器は端末のために設定したベアラと基本パラメータセットとの対応関係に基づいて次回データを伝送するための基本パラメータセットを確定することができ、端末装置から送信されるのはデータストリームの識別子である場合、ネットワーク機器は端末のために設定したデータストリームと基本パラメータセットとの対応関係に基づいて次回データを伝送するための基本パラメータセットを確定することができ、端末装置から送信されるのはデータ量の大きさの識別子である場合、ネットワーク機器は端末のために設定したデータ量の大きさと基本パラメータセットとの対応関係に基づいて次回データを伝送するための基本パラメータセットを確定することができ、端末装置から送信されるのはサービス品質レベルの識別子である場合、ネットワーク機器は端末のために設定したサービス品質レベルと基本パラメータセットとの対応関係に基づいて次回データを伝送するための基本パラメータセットを確定することができるＳ５５と、
ネットワーク機器が該アップリンクデータを送信するためのアップリンク許可を確定するＳ５６と、
ネットワーク機器が物理制御チャネルを介して該アップリンク許可を送信するＳ５７と、
端末装置がネットワーク機器から送信されるアップリンク許可に基づいてアップリンクデータを整理するＳ５８と、を含む。
【００７３】
従って、本発明の実施例のデータ伝送方法は、端末に様々な基本パラメータセットを設定したシーンにおいて、アップリンクデータを伝送するための基本パラメータセットを柔軟に選択することができ、それによりシステムの伝送柔軟性を向上させる。
【００７４】
図４〜図７にはデータ伝送方法の詳細なステップ又は操作を示したが、これらのステップ又は操作は例示的なものに過ぎず、本発明の実施例は更に他の操作、又は図４〜図７における各操作の変形を実行することができると理解すべきである。なお、図４〜図７における各ステップは図４〜図７における異なる順序に応じて実行されてもよく、且つ図４〜図７におけるすべての操作を実行することではない可能性がある。
【００７５】
なお、上記各方法実施例において、端末装置側のステップは独立して実現されて端末装置側のデータ伝送方法となってもよく、ネットワーク機器側のステップは独立して実現されてネットワーク機器側のデータ伝送方法となってもよく、上記各方法実施例において、ネットワーク機器は一般的に基地局であり、端末装置は一般的にユーザー装置である。
【００７６】
ネットワーク機器側から説明したネットワーク機器は、端末装置との対話及び関連特性、機能等が端末装置側の関連特性、機能に対応し、簡潔のため、詳細な説明は省略すると理解すべきである。
【００７７】
更に、本発明の様々な実施例において、上記各過程の番号の順位は実行順序の前後を意味せず、各過程の実行順序はその機能及び内部論理によって確定されるべきであり、本発明の実施例の実施過程を制限するためのものではないと理解すべきである。
【００７８】
以上は図２〜図７を参照しながら本発明の実施例のデータ伝送方法を詳しく説明したが、以下に図８〜図１１を参照しながら本発明の実施例のデータ伝送装置を説明し、方法実施例に説明される技術的特徴は以下の装置実施例に適用されてもよい。
【００７９】
図８に本発明の実施例のデータ伝送端末装置３００を示す。図８に示すように、該端末装置３００は、
伝送待ちのアップリンクデータを確定するための確定ユニット３１０と、
該アップリンクデータのサービス属性に基づいて該アップリンクデータを送信するための基本パラメータセットを取得するための取得ユニット３２０と、
該基本パラメータセットに基づいてネットワーク機器に該アップリンクデータを送信するための送信ユニット３３０と、を含む。
【００８０】
従って、本発明の実施例のデータ伝送端末装置は、端末に様々な基本パラメータセットを設定したシーンにおいて、アップリンクデータを伝送するための基本パラメータセットを柔軟に選択することができ、それによりシステムの伝送柔軟性を向上させる。
【００８１】
好ましくは、本発明の実施例において、該取得ユニット３２０は、具体的に、該サービス属性及び予め設定されたサービス属性と基本パラメータセットとの対応関係に基づいて該基本パラメータセットを確定することに用いられる。
【００８２】
好ましくは、本発明の実施例において、該取得ユニット３２０は、具体的に、該サービス属性を識別するための識別情報をネットワーク機器に送信し、該ネットワーク機器から送信される、該識別情報によって確定された該基本パラメータセットを受信することに用いられる。
【００８３】
好ましくは、本発明の実施例において、該サービス属性は該アップリンクデータを送信するための論理チャネル、該アップリンクデータを送信するためのベアラ、該アップリンクデータを送信するためのデータストリーム、該アップリンクデータのデータ量の大きさ及び該アップリンクデータのサービス品質レベルのうちの少なくとも１つを含む。
【００８４】
好ましくは、本発明の実施例において、該送信ユニット３３０は、更に、
該ネットワーク機器が該基本パラメータセットを取得するために用いた該基本パラメータセットの補助情報を該ネットワーク機器に送信することに用いられる。
【００８５】
好ましくは、本発明の実施例において、該確定ユニット３１０は、更に、
該基本パラメータセットの補助情報が記憶されている基本パラメータセットの補助情報と同じであることを確定した場合、該ネットワーク機器が該基本パラメータセットを取得するために用いた該基本パラメータセットの補助情報を該ネットワーク機器に送信しないことに用いられる。
【００８６】
好ましくは、本発明の実施例において、該記憶されている基本パラメータセットの補助情報は前回のアップリンクデータの基本パラメータセットの補助情報、予め設定された基本パラメータセットの補助情報又はデフォルトの基本パラメータセットの補助情報を含む。
【００８７】
好ましくは、本発明の実施例において、該補助情報は該アップリンクデータ又は次回伝送待ちのアップリンクデータを送信するための基本パラメータセットの識別子、該論理チャネルの識別子、該ベアラの識別子、該データ量の大きさの識別子及び該サービス品質レベルの識別子のうちの少なくとも１つを含む。
【００８８】
好ましくは、本発明の実施例において、該送信ユニット３３０は、具体的に、
メディアアクセス制御ＭＡＣプロトコルデータユニットＰＤＵ又は上位層シグナリングを介して該ネットワーク機器に該補助情報を送信することに用いられ、
該端末装置は、更に、
該ネットワーク機器から送信される、該アップリンクデータをスケジューリングするためのアップリンク許可を受信するための受信ユニットを含む。
【００８９】
好ましくは、本発明の実施例において、該送信ユニット３３０は、具体的に、
アップリンク物理チャネルを介して該ネットワーク機器に該補助情報を送信し、
該基本パラメータセットに基づいて該アップリンク物理チャネルを介して該ネットワーク機器に該アップリンクデータを送信することに用いられる。
【００９０】
好ましくは、本発明の実施例において、該送信ユニット３３０がアップリンク物理チャネルを介して該ネットワーク機器に該補助情報を送信することは、
該アップリンク物理チャネルのヘッダーを介して該ネットワーク機器に該補助情報を送信することを含む。
【００９１】
好ましくは、本発明の実施例において、該端末装置３００は、更に、
該ネットワーク機器から送信される該設定されたサービス属性と基本パラメータセットとの対応関係を受信するための受信ユニット３４０を含む。
【００９２】
本発明の実施例のデータ伝送端末装置３００は本発明の方法実施例の端末装置に対応してもよく、且つ端末装置３００における各ユニットの上記及び他の操作及び／又は機能はそれぞれ図２〜図７における方法の対応プロセスを実現するためのものであり、簡潔のため、詳細な説明は省略すると理解すべきである。
【００９３】
図９に本発明の実施例のデータ伝送ネットワーク機器４００を示す。図９に示すように、該ネットワーク機器４００は、
端末装置から送信される、該ネットワーク機器が該基本パラメータセットを取得するために用いた基本パラメータセットの補助情報を受信したかどうかによって、伝送待ちのアップリンクデータを受信するための基本パラメータセットを確定するための確定ユニット４１０と、
該基本パラメータセットに基づいて該アップリンクデータを受信するための受信ユニット４２０と、を含む。
【００９４】
従って、本発明の実施例のデータ伝送ネットワーク機器は、端末に様々な基本パラメータセットを設定したシーンにおいて、アップリンクデータを伝送するための基本パラメータセットを柔軟に選択することができ、それによりシステムの伝送柔軟性を向上させる。
【００９５】
好ましくは、本発明の実施例において、該確定ユニット４１０は、具体的に、
該端末装置から送信される該補助情報を受信した場合、該補助情報に基づいて該基本パラメータセットを確定し、又は
該端末装置から送信される該補助情報を受信していない場合、記憶されている基本パラメータセットを該基本パラメータセットとして確定することに用いられる。
【００９６】
好ましくは、本発明の実施例において、該記憶されている基本パラメータセットは前回のアップリンクデータの基本パラメータセット、予め設定された基本パラメータセット又はデフォルトの基本パラメータセットを含む。
【００９７】
好ましくは、本発明の実施例において、該確定ユニット４１０は、該端末装置から送信される該補助情報を受信した場合、該補助情報に基づいて該基本パラメータセットを確定し、具体的に、
該識別情報及びサービス属性と基本パラメータセットとの対応関係に基づいて該基本パラメータセットを確定することに用いられる。
【００９８】
好ましくは、本発明の実施例において、該補助情報は該アップリンクデータ又は次回伝送待ちのアップリンクデータを送信するための基本パラメータセットの識別子、該論理チャネルの識別子、該ベアラの識別子、該データ量の大きさの識別子及び該サービス品質レベルの識別子のうちの少なくとも１つを含む。
【００９９】
好ましくは、本発明の実施例において、該受信ユニット４２０は、具体的に、
ＭＡＣ  ＰＤＵ又は上位層シグナリングから該補助情報を取得するとき、該基本パラメータセットに基づいて該アップリンクデータをスケジューリングするためのアップリンク許可を確定し、
該端末装置が該アップリンク許可に基づいて送信した該アップリンクデータを受信することに用いられる。
【０１００】
好ましくは、本発明の実施例において、該受信ユニット４２０は、具体的に、
アップリンク物理チャネルから該補助情報を取得するとき、該基本パラメータセットに基づいて該アップリンク物理チャネルに含まれる該アップリンクデータを受信して復調することに用いられる。
【０１０１】
好ましくは、本発明の実施例において、該端末装置４００は、更に、
サービス属性と基本パラメータセットとの対応関係を設定するための設定ユニット４３０と、
該設定されたサービス属性と基本パラメータセットとの対応関係を該端末装置に送信するための送信ユニット４４０と、を含む。
【０１０２】
本発明の実施例のデータ伝送端末装置４００は本発明の方法実施例のネットワーク機器に対応してもよく、且つネットワーク機器４００における各ユニットの上記及び他の操作及び／又は機能はそれぞれ図２〜図７における方法の対応プロセスを実現するためのものであり、簡潔のため、詳細な説明は省略すると理解すべきである。
【０１０３】
図１０に示すように、本発明の実施例は更にデータ伝送端末装置５００を提供し、該端末装置５００はプロセッサ５１０、メモリ５２０、バスシステム５３０及び送受信機５４０を備え、該プロセッサ５１０、該メモリ５２０及び該送受信機５４０が該バスシステム５３０によって接続され、該メモリ５２０は命令を記憶することに用いられ、該プロセッサ５１０は該メモリ５２０に記憶される命令を実行することに用いられ、それにより該送受信機５４０が信号を送信するように制御し、該プロセッサ５１０は、伝送待ちのアップリンクデータを確定し、前記アップリンクデータのサービス属性に基づいて前記アップリンクデータを送信するための基本パラメータセットを取得し、前記基本パラメータセットに基づいてネットワーク機器に前記アップリンクデータを送信することに用いられる。
【０１０４】
従って、本発明の実施例のデータ伝送端末装置は、端末に様々な基本パラメータセットを設定したシーンにおいて、アップリンクデータを伝送するための基本パラメータセットを柔軟に選択することができ、それによりシステムの伝送柔軟性を向上させる。
【０１０５】
本発明の実施例において、該プロセッサ５１０は中央処理装置（ＣＰＵ：Ｃｅｎｔｒａｌ  Ｐｒｏｃｅｓｓｉｎｇ  Ｕｎｉｔ）であってもよく、該プロセッサ５１０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１０６】
該メモリ５２０は読み出し専用メモリ及びランダムアクセスメモリを含んでもよく、且つプロセッサ５１０に命令及びデータを提供する。メモリ５２０の一部は更に不揮発性ランダムアクセスメモリを含んでもよい。例えば、メモリ５２０に更に装置タイプ情報が記憶されてもよい。
【０１０７】
該バスシステム５３０はデータバスを含むだけでなく、更に電源バス、制御バス及び状態信号バス等を含んでもよい。しかしながら、明確に説明するために、図面には様々なバスをいずれもバスシステム５３０で示す。
【０１０８】
実現過程において、上記方法の各ステップはプロセッサ５１０におけるハードウェアの集積論理回路又はソフトウェア形式の命令で完了してもよい。本発明の実施例に開示される方法のステップはハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ５２０に位置し、プロセッサ５１０がメモリ５２０における情報を読み取り、そのハードウェアと合わせて上記方法のステップを完了する。重複を避けるため、詳細な説明は省略する。
【０１０９】
本発明の実施例のデータ伝送端末装置５００は本発明の実施例の端末装置及び端末装置３００に対応してもよく、且つ本発明の実施例の方法を実行する端末装置に対応してもよく、且つ端末装置５００における各ユニットの上記及び他の操作及び／又は機能はそれぞれ図２〜図７における方法の対応プロセスを実現するためのものであり、簡潔のため、詳細な説明は省略すると理解すべきである。
【０１１０】
図１１に示すように、本発明の実施例は更にデータ伝送ネットワーク機器６００を提供し、該ネットワーク機器６００はプロセッサ６１０、メモリ６２０、バスシステム６３０及び送受信機６４０を備え、該プロセッサ６１０、該メモリ６２０及び該送受信機６４０が該バスシステム６３０によって接続され、該メモリ６２０は命令を記憶することに用いられ、該プロセッサ６５０は該メモリ６２０に記憶される命令を実行することに用いられ、それにより該送受信機６４０が信号を送信するように制御し、該プロセッサ６１０は、端末装置から送信される、前記ネットワーク機器が前記基本パラメータセットを取得するために用いた基本パラメータセットの補助情報を受信したかどうかによって、伝送待ちのアップリンクデータを受信するための基本パラメータセットを確定し、前記基本パラメータセットに基づいて前記アップリンクデータを受信することに用いられる。
【０１１１】
従って、本発明の実施例のデータ伝送ネットワーク機器は、端末に様々な基本パラメータセットを設定したシーンにおいて、アップリンクデータを伝送するための基本パラメータセットを柔軟に選択することができ、それによりシステムの伝送柔軟性を向上させる。
【０１１２】
本発明の実施例において、該プロセッサ６１０は中央処理装置（ＣＰＵ：Ｃｅｎｔｒａｌ  Ｐｒｏｃｅｓｓｉｎｇ  Ｕｎｉｔ）であってもよく、該プロセッサ６１０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１１３】
該メモリ６２０は読み出し専用メモリ及びランダムアクセスメモリを含んでもよく、且つプロセッサ６１０に命令及びデータを提供する。メモリ６２０の一部は更に不揮発性ランダムアクセスメモリを含んでもよい。例えば、メモリ６２０に更に装置タイプ情報が記憶されてもよい。
【０１１４】
該バスシステム６３０はデータバスを含むだけでなく、更に電源バス、制御バス及び状態信号バス等を含んでもよい。しかしながら、明確に説明するために、図面には様々なバスをいずれもバスシステム６３０で示す。
【０１１５】
実現過程において、上記方法の各ステップはプロセッサ６１０におけるハードウェアの集積論理回路又はソフトウェア形式の命令で完了してもよい。本発明の実施例に開示される方法のステップはハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ６２０に位置し、プロセッサ６１０がメモリ６２０における情報を読み取り、そのハードウェアと合わせて上記方法のステップを完了する。重複を避けるため、詳細な説明は省略する。
【０１１６】
本発明の実施例の信号伝送ネットワーク機器６００は本発明の実施例のネットワーク機器及びネットワーク機器４００に対応してもよく、且つ本発明の実施例の方法を実行するネットワーク機器に対応してもよく、且つネットワーク機器６００における各ユニットの上記及び他の操作及び／又は機能はそれぞれ図２〜図７における方法の対応プロセスを実現するためのものであり、簡潔のため、詳細な説明は省略すると理解すべきである。
【０１１７】
本発明の実施例のネットワーク機器における各ユニットの操作及び／又は機能はそれぞれ方法側のネットワーク機器に対応し、且つ端末装置との対話及び関連特性、機能等は端末装置側の関連特性、機能に対応し、簡潔のため、詳細な説明は省略すると理解すべきである。
【０１１８】
本発明の実施例において、「Ａに対応するＢ」はＢがＡに関連し、Ａに基づいてＢを確定することができることを示すと理解すべきである。ところが、更に、Ａに基づいてＢを確定することとはＡのみに基づいてＢを確定することができることを意味せず、更にＡ及び／又は他の情報に基づいてＢを確定することができることを意味すると理解すべきである。
【０１１９】
当業者であれば、本明細書に開示される実施例を参照して説明した各例示的なユニット及びアルゴリズムステップは、電子ハードウェア、コンピュータソフトウェア又はそれらの組み合わせで実現されてもよく、ハードウェアとソフトウェアとの互換性を明確に説明するために、上記説明において既に機能に基づいて各例示的な構成及びステップを一般的に説明したと理解される。これらの機能をハードウェア又はソフトウェア方式で実行するかは、技術案の特定応用及び設計制約条件によって確定される。当業者は各特定応用に対して異なる方法で説明される機能を実現することができるが、このような実現は本発明の範囲を超えると見なされるべきではない。
【０１２０】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１２１】
本願に係るいくつかの実施例において、開示されるシステム、装置及び方法は他の方式で実現されてもよいと理解すべきである。例えば、以上に説明される装置実施例は模式的なものに過ぎず、例えば、該ユニットの区別は論理機能上の区別に過ぎず、実際に実現するとき、他の区別方式を用いてもよく、例えば複数のユニット又はコンポーネントは他のシステムに結合又は統合されてもよい。また、本発明の各実施例における各機能ユニットは１つの処理ユニットに統合されてもよく、各ユニットは独立して物理的に存在してもよく、２つ又は２つ以上のユニットは１つのユニットに統合されてもよい。上記統合されたユニットはハードウェアの形式で実現されてもよいし、ソフトウェア機能ユニットの形式で実現されてもよい。
【０１２２】
該統合されたユニットはソフトウェア機能ユニットの形式で実現され、且つ独立した製品として販売又は使用されるとき、１つのコンピュータ可読記憶媒体に記憶されてもよい。このような理解に基づく、本発明の技術案の本質又は従来技術に貢献する部分、又は該技術案の全部又は一部はソフトウェア製品の形式で具現されてもよく、該コンピュータソフトウェア製品は、１台のコンピュータ装置（パーソナルコンピュータ、サーバ、又はネットワーク機器等であってもよい）に本発明の各実施例における該方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１２３】
以上の説明は、本発明の具体的な実施形態であって、本発明の保護範囲を制限するためのものではなく、当業者が本発明に開示される技術的範囲内に様々な等価修正又は置換を容易に想到し得る。
【図１】
2020500446.tif 000003
【図２】
2020500446.tif 000004
【図３】
2020500446.tif 000005
【図４】
2020500446.tif 000006
【図５】
2020500446.tif 000007
【図６】
2020500446.tif 000008
【図７】
2020500446.tif 000009
【図８】
2020500446.tif 000010
【図９】
2020500446.tif 000011
【図１０】
2020500446.tif 000012
【図１１】
2020500446.tif 000013
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
データ伝送方法であって、端末装置に適用され、
伝送待ちのアップリンクデータを確定することと、
前記アップリンクデータのサービス属性に基づいて前記アップリンクデータを送信するための基本パラメータセットを取得することと、
前記基本パラメータセットに基づいてネットワーク機器に前記アップリンクデータを送信することと、を含むことを特徴とする、前記データ伝送方法。
【請求項２】
前記アップリンクデータのサービス属性に基づいて前記アップリンクデータを送信するための基本パラメータセットを取得することは、
前記サービス属性及び設定されたサービス属性と基本パラメータセットとの対応関係に基づいて前記基本パラメータセットを確定することを含むことを特徴とする
請求項１に記載の方法。
【請求項３】
前記アップリンクデータのサービス属性に基づいて前記アップリンクデータを送信するための基本パラメータセットを取得することは、
前記サービス属性を識別するための識別情報を前記ネットワーク機器に送信することと、
前記ネットワーク機器から送信される、前記識別情報によって確定された前記基本パラメータセットを受信することと、を含むことを特徴とする
請求項１に記載の方法。
【請求項４】
前記サービス属性は前記アップリンクデータを送信するための論理チャネル、前記アップリンクデータを送信するためのベアラ、前記アップリンクデータを送信するためのデータストリーム、前記アップリンクデータのデータ量の大きさ及び前記アップリンクデータのサービス品質レベルのうちの少なくとも１つを含むことを特徴とする
請求項１〜３のいずれか１項に記載の方法。
【請求項５】
前記方法は、更に、
前記ネットワーク機器が前記基本パラメータセットを取得するために用いた前記基本パラメータセットの補助情報を前記ネットワーク機器に送信することを含むことを特徴とする
請求項２に記載の方法。
【請求項６】
前記方法は、更に、
前記基本パラメータセットの補助情報が記憶されている基本パラメータセットの補助情報と同じであることを確定した場合、前記ネットワーク機器が前記基本パラメータセットを取得するために用いた前記基本パラメータセットの補助情報を前記ネットワーク機器に送信しないことを含み、
前記記憶されている基本パラメータセットの補助情報は前回のアップリンクデータの基本パラメータセットの補助情報、予め設定された基本パラメータセットの補助情報又はデフォルトの基本パラメータセットの補助情報を含むことを特徴とする
請求項２に記載の方法。
【請求項７】
前記補助情報は前記アップリンクデータ又は次回アップリンクデータを送信するための基本パラメータセットの識別子、前記論理チャネルの識別子、前記ベアラの識別子、前記データ量の大きさの識別子及び前記サービス品質レベルの識別子のうちの少なくとも１つを含むことを特徴とする
請求項５又は６に記載の方法。
【請求項８】
ネットワーク機器に前記基本パラメータセットの補助情報を送信することは、
メディアアクセス制御ＭＡＣプロトコルデータユニットＰＤＵ又は上位層シグナリングを介して前記ネットワーク機器に前記補助情報を送信することを含み、
前記方法は、更に、
前記ネットワーク機器から送信される、前記アップリンクデータをスケジューリングするためのアップリンク許可を受信することを含むことを特徴とする
請求項５に記載の方法。
【請求項９】
前記方法は、更に、
前記ネットワーク機器から送信される前記設定されたサービス属性と基本パラメータセットとの対応関係を受信することを含むことを特徴とする
請求項２に記載の方法。
【請求項１０】
データ伝送方法であって、ネットワーク機器に適用され、
端末装置から送信される、前記ネットワーク機器が前記基本パラメータセットを取得するために用いた基本パラメータセットの補助情報を受信したかどうかによって、伝送待ちのアップリンクデータの基本パラメータセットを確定することと、
前記基本パラメータセットに基づいて前記アップリンクデータを受信することと、を含むことを特徴とする、前記データ伝送方法。
【請求項１１】
端末装置から送信される基本パラメータセットの補助情報を受信したかどうかによって、伝送待ちのアップリンクデータの基本パラメータセットを確定することは、
前記端末装置から送信される前記補助情報を受信した場合、前記補助情報に基づいて前記基本パラメータセットを確定すること、又は
前記端末装置から送信される前記補助情報を受信していない場合、記憶されている基本パラメータセットを前記基本パラメータセットとして確定することを含むことを特徴とする
請求項１０に記載の方法。
【請求項１２】
前記補助情報は前記アップリンクデータのサービス属性を識別するための識別情報を含み、前記補助情報に基づいて前記基本パラメータセットを確定することは、
前記識別情報及びサービス属性と基本パラメータセットとの対応関係に基づいて前記基本パラメータセットを確定することを含むことを特徴とする
請求項１１に記載の方法。
【請求項１３】
前記方法は、更に、
サービス属性と基本パラメータセットとの対応関係を設定することと、
前記設定されたサービス属性と基本パラメータセットとの対応関係を前記端末装置に送信することと、を含むことを特徴とする
請求項１０〜１２のいずれか１項に記載の方法。
【請求項１４】
データ伝送端末装置であって、
プロセッサと
前記プロセッサに実行されると、前記プロセッサが請求項１〜９のいずれか１項に記載の方法を実行する命令が記憶されるメモリと、含むことを特徴とする、前記データ伝送端末装置。
【請求項１５】
データ伝送ネットワーク機器であって、
プロセッサと
前記プロセッサに実行されると、前記プロセッサが請求項１０〜１３のいずれか１項に記載の方法を実行する命令が記憶されるメモリと、含む、ことを特徴とする、前記データ伝送ネットワーク機器。
【国際調査報告】
2020500446.tif 000014
2020500446.tif 000015
2020500446.tif 000016
2020500446.tif 000017